(57)【要約】【課題】  使用したいときに即座に使用できると共に、ゴミの除去機能を充分に発揮できるエチケットブラシを提供する。【解決手段】  エチケットブラシの裏面に、粘着体を備えた構成とし、身の回りにある平滑面を有する被粘着物、例えば、携帯電話機、手鏡、手帳等に粘着させて使用する。【選択図】  図１
0003109959.tif 000002
【実用新案登録請求の範囲】
【請求項１】
表面がモケット層より成る裏面に、粘着層を形成したことを特徴とするエチケットブラシ。
【請求項２】
前記粘着層は、剥離性合成樹脂粘着シートから成る請求項１記載のエチケットブラシ。
【請求項３】
前記粘着層は、剥離性粘着テープから成る請求項１記載のエチケットブラシ。
【考案の詳細な説明】
【技術分野】
【０００１】
本考案は、エチケットブラシに関し、特に、着脱式のエチケットブラシに関する。
【背景技術】
【０００２】
従来から、衣服に毛玉、糸クズ、フケ等の繊維に絡みつき易いゴミが付着している場合に、しばしばエチケットブラシが使用される。
【０００３】
このエチケットブラシは、その表面が一方向性を有するモケット布地を形成しているため、衣服に絡み付いたゴミの除去ができる。
【０００４】
上記のようなエチケットブラシには、図３に示すように、表面がモケット布地１１より成る裏面に、手指を挿入するための手指挿入孔１２を備えたエチケットブラシ１０等がある。
【考案の開示】
【考案が解決しようとする課題】
【０００５】
しかしながら、上述した従来の手指挿入孔を備えたエチケットブラシには、使用に際して、以下のような種々の問題がある。
【０００６】
例えば、エチケットブラシを携帯し易いように、手指挿入孔がコンパクトに形成されているため、手指の挿入が大変煩わしく、使用したいときに即座に使用できない。
【０００７】
また、モケット布地を手指で支持して使用するため、手指各々の力加減が不均一となり易いことから、モケット布地に均一に力をかけることができず、ゴミの除去機能を充分に発揮させることができない。
【０００８】
そこで、本考案は、上記問題に鑑み、使用したいときに即座に使用できると共に、ゴミの除去機能を充分に発揮できるエチケットブラシを提供することを目的とする。
【課題を解決するための手段】
【０００９】
本考案は、表面がモケット層より成る裏面に、粘着層を形成した構成としている。このようにすれば、身の回りにある平滑面を有する被粘着物、例えば、携帯電話機、手鏡、手帳等に粘着させて使用できるので、使用したいときに即座に使用できると共に、ゴミの除去機能を充分に発揮させることができる。
【００１０】
なお、前記粘着層は、剥離性合成樹脂粘着シート、剥離性粘着テープから成る構成としてもよい。このようにすれば、被粘着物に着脱使用ができるので、使用後はエチケットブラシを剥離して、エチケットブラシ及び被粘着物を元あった状態に戻すことができる。
【考案の効果】
【００１１】
使用したいときに即座に使用できると共に、ゴミの除去機能を充分に発揮できる。
【考案を実施するための最良の形態】
【００１２】
以下、本考案を図面に従って、詳細に説明する。図１は、本考案の実施の形態におけるエチケットブラシ１を携帯電話機５に粘着させた状態を示す概略斜視図であり、図２は、本考案の実施の形態におけるエチケットブラシ１を示す断面図である。
【００１３】
本考案におけるエチケットブラシ１は、その表面が一方向性を有するモケット布地で形成したモケット層２の裏面の全体に、剥離性合成樹脂粘着シートを接着固定して、当該剥離性合成樹脂粘着シートから成る粘着層３を形成している。
【００１４】
この剥離性合成樹脂粘着シートから成る粘着層３に、当該粘着層３を保護する保護フィルム４を貼り付けた状態で、ユーザは、自分の衣服のポケットや手持ちカバン等に上記エチケットブラシ１を所持する。
【００１５】
なお、上記剥離性合成樹脂粘着シートから成る粘着層３の代わりに、例えば、剥離性粘着テープから成る粘着層３を形成する構成としてもよいし、上記モケット層２の裏面の全体に限らず、例えば、一部に粘着層３を形成する構成としてもよい。また接着固定して上記粘着層３を形成するに限らず、例えば、逢着固定して、当該粘着層３を形成する構成としてもよい。
【００１６】
ところで、人は、自分の所持する手鏡等で、衣服にゴミが付着していないかどうか確認し、ゴミが付着している場合は、当該付着しているゴミを除去して身だしなみを整えたいとの要望がある。
【００１７】
近年では、人は、携帯電話機、特にカメラ付き携帯電話機を所持することがしばしばあり、カメラで自分の画像を撮影する場合も多く、特にその要望も強い。
【００１８】
そこで、ユーザは、自分の衣服にゴミが付着していることを確認すると、まず、所持する上記エチケットブラシ１を手に取り、上記粘着層３に貼り付けられた保護フィルム４を剥離し、当該粘着層３を、例えば、所持する携帯電話機５の裏面に粘着させる。
【００１９】
なお、携帯電話機に限らず、例えば、手鏡、手帳等の身の回りにある平滑面を有する被粘着物ならば、粘着させて使用可能である。
【００２０】
ユーザは、上記のように、エチケットブラシ１を携帯電話機５に粘着させた状態で使用し、衣服に付着したゴミを除去して身だしなみを整える。
【００２１】
そして、使用後は、上記エチケットブラシ１を上記携帯電話機５から剥離させて取り外し、上記保護フィルム４を貼り付けて、自分の衣服のポケットや手持ちカバン等に所持する。この剥離作業は、上記粘着層３が剥離性合成樹脂粘着シートから成るため、容易に行うことができる。
【００２２】
このようにすれば、身の回りにある平滑面を有する被粘着物、例えば、携帯電話機、手鏡、手帳等に粘着させて使用できるので、使用したいときに即座に使用できると共に、ゴミの除去機能を充分に発揮させることができる。
【００２３】
また、被粘着物に着脱使用ができるので、使用後はエチケットブラシを剥離して、エチケットブラシ及び被粘着物を元あった状態に戻すことができる。
【００２４】
なお、上記モケット層２の色を上記携帯電話機５と同系色にすれば、当該携帯電話機５のデザイン性を損ねない構成とすることも可能であるし、自分の好みの色にすればファッション感覚を楽しむ構成とすることも可能である。
【００２５】
また、上記モケット層２にカラー印刷を施すことにより、キャラクター製品や、製品名をプリントして、販促品として上記エチケットブラシ１を利用することも可能である。
【００２６】
上記実施の形態で説明した構成は、単に具体例を示すものであり、本願考案の技術的範囲を制限するものではない。本願の効果を奏する範囲において、任意の構成を採用することが可能である。
【産業上の利用可能性】
【００２７】
使用したいときに即座に使用できると共に、ゴミの除去機能を充分に発揮できるため、着脱式のエチケットブラシとして有用である。
【図面の簡単な説明】
【００２８】
【図１】本考案の実施の形態におけるエチケットブラシを携帯電話機に粘着させた状態を示す概略斜視図である。
【図２】本考案の実施の形態におけるエチケットブラシを示す断面図である。
【図３】従来の手指挿入孔を備えたエチケットブラシの裏面を示す概略斜視図である。
【符号の説明】
【００２９】
１    エチケットブラシ
２    モケット層
３    粘着層
４    保護フィルム
【図１】
0003109959.tif 000003
【図２】
0003109959.tif 000004
【図３】
0003109959.tif 000005